(57)【要約】【課題】着心地の良さと機能の発揮とを両立した、後衿の高いシャツを提供する。【解決手段】シャツ１０は、周縁を切りっぱなし仕様とされた生地で構成された、前身頃１１、後身頃１２および左袖部１４を有し、前身頃１１と後身頃１２とは側部の縫着線で縫い合わされるとともに肩部の縫着線１１Ｄで縫い合わされている。このシャツ１０を着用すると、縫着線１１Ｄは、首の後側から肩にかけて、着用者の背中側から腹部側へ回り込む形状により、後身頃１２を腹部側へ引き寄せ、後身頃１２と一体に縫着された前身頃１１の後衿部１１Ｂを腹部側へ引き寄せ、後衿部１１Ｂが首の後部へ密着する。【選択図】図６
2013053393.tif 000002
【特許請求の範囲】
【請求項１】
周縁を切りっぱなし仕様とされた生地で構成され、
切りっぱなし仕様で開口された衿ぐり部と、
衿なしシャツよりも高い高さの後衿部とを備えることを特徴とする、シャツ。
【請求項２】
前記シャツは前身頃および後身頃で構成され、
前記衿ぐり部および前記後衿部は、前記前身頃に形成され、
前記前身頃と前記後身頃とは、肩のラインよりも背中側で左右方向の縫着線で結合されていることを特徴とする、請求項１に記載のシャツ。
【請求項３】
前記後衿部は、左の後衿部と右の後衿部とが上下方向の縫着線で結合されて形成され、
前記上下方向の縫着線と左右方向の縫着線とが交差していることを特徴とする、請求項２に記載のシャツ。
【請求項４】
前記左右方向の縫着線は、背中から腕に向けて、背中側から腹部側へ向かう線で構成されていることを特徴とする、請求項２または請求項３に記載のシャツ。
【請求項５】
前記前身頃および前記後身頃が筒状に一体的に編成されていることを特徴とする、請求項１に記載のシャツ。
【発明の詳細な説明】
【技術分野】
【０００１】
本発明は、下着用シャツ、下着に限定されないシャツ、ワイシャツまたはブラウスの代わりにアウターの衣服の下に着用できるシャツ等に関し、特に、男性用、女性用を問わず、後衿の高さを高くした、着心地の良いシャツに関する。
【背景技術】
【０００２】
従来の下着用シャツおよびＴシャツにおいては、首廻りにテープ生地が縫着されて衿部が構成されており、この衿部の高さは極力低く抑えられている。すなわち、従来の一般的なシャツにおいては、衿部に特別な機能を持たせていなかった。ところが、特開２０１１−１２２２８１号公報（特許文献１）は、衿部に機能を持たせることのできるシャツを開示する。
【０００３】
この特許文献１に開示されたシャツは、前身頃の上端にある前衿ぐり部と、後身頃の上端にある後衿ぐり部とによって首廻り部が構成され、首廻り部の全周には、前衿ぐり部と後衿ぐり部とにそれぞれ重ね合わされて第１衿が縫着されている。そして、首廻り部の後部において、第１衿よりもその最大高さ寸法が大きい第２衿が、後衿ぐり部と前衿ぐり部の一部に設けられ、第２衿の高さ寸法が前衿ぐり部に設けられた部分において、第２衿の端に向かうに従って漸次小さくなっており、第２衿の各端は、前衿ぐり部の途中部分に位置付けられている。
【０００４】
このシャツを下着として着用したときに、シャツの衿はアウターの衣服によって隠れて、外部から見えにくくなり、美観を悪化させることはない。また、第２衿がアウターの衣服に邪魔になることはない。第２衿が着用者の首の後部に当たることで、従来、ワイシャツ等のアウターの衣服の衿に付着していた皮脂汚れを第２衿が吸着し、アウターの衣服の衿汚れを防止することができ、アウターの衣服の洗濯の負担を軽減し、アウターの衣服を長持ちさせることができる。また、首筋から流れる汗を第２衿が吸収することで、アウターの衣服の衿を濡らさないようにして、べた付きを減らすことができ、着用者が夏季にも快適に過ごすことができる。また、気温が低い季節には、第２衿が着用者の首の後部に当たるために、着用者の首を暖めることができる。このように衿部（第２衿）が、特別な機能を発揮することができる。
【先行技術文献】
【特許文献】
【０００５】
【特許文献１】特開２０１１−１２２２８１号公報
【発明の概要】
【発明が解決しようとする課題】
【０００６】
しかしながら、特許文献１に開示されたシャツは、以下の問題点がある。
第２衿の中央部は、その内側に設けられる内側テープとともに第１衿および後衿ぐり部に縫着されて結合されている（特許文献１の図５、図７Ａ、図７Ｂ）。さらに、この内側テープは、後衿ぐり部から、前身頃の上端の肩部と後身頃の上端の肩部の縫合部へと延びて縫着されている。このため、内側テープが首の後部分の肌および肩の肌に直接当たり、着心地が良いとはいえない。なお、内側テープを省略することも可能であると記載されているが、この内側テープによって第２衿を内側から押さえ、かつ、第１衿によって外側から押さえることで、第２衿の内側および外側への倒れを防止しているとも記載されている（特許文献１の第００３９段落）。このため、この内側テープを省略すると、第２衿が倒れてしまい、上述した機能を発揮できない。すなわち、着心地の良さと機能の発揮とを両立できていない。
【０００７】
本発明は、上述した問題点に鑑みて開発されたもので、その目的とするところは、着心地の良さと機能の発揮とを両立した、後衿の高いシャツを提供することにある。
【課題を解決するための手段】
【０００８】
前記目的を達成するために本発明に係るシャツは、周縁を切りっぱなし仕様とされた生地で構成され、切りっぱなし仕様で開口された衿ぐり部と、衿なしシャツよりも高い高さ
の後衿部とを備えることを特徴としている。
この構成によれば、生地が切りっぱなし仕様であるために、シャツの周縁を切りっぱなし状態のままで使用することができるので、周縁処理がなくても周縁が解れることがなく、また、嵩張らず、ソフトで柔軟性に富むものとすることができ、着心地が良い。さらに、後衿部の高さが衿なしシャツよりも高いので、従来はアウターの衣服の衿に付着していた首の後部の皮脂汚れを後衿部で吸着することができる。その結果、着心地の良さと機能の発揮とを両立することのできるシャツを提供することができる。
【０００９】
また、前記シャツは前身頃および後身頃で構成され、前記衿ぐり部および前記後衿部は、前記前身頃に形成され、前記前身頃と前記後身頃とは、肩のラインよりも背中側で左右方向の縫着線で結合されていることを特徴とすることが好ましい。さらに、前記後衿部は、左の後衿部と右の後衿部とが上下方向の縫着線で結合されて形成され、前記上下方向の縫着線と左右方向の縫着線とが交差していることを特徴とすることが好ましい。さらに、前記左右方向の縫着線は、背中から腕に向けて、背中側から腹部側へ向かう線で構成されていることを特徴とすることが好ましい。
【００１０】
このようにすると、左右方向の縫着線が、背中から腕に向けて、背中側から腹部側へ向かう線であることにより、背中側から腹部側へ回り込んでいる形状を構成するために、後身頃を腹部側へ引き寄せる作用を発現する。このため、後身頃と一体に縫着された前身頃の後衿部を腹部側へ引き寄せる。その結果、後衿部が首の後部へ密着することになる。
さらに、前記前身頃および前記後身頃が筒状に一体的に編成されていることを特徴とすることが好ましい。
【００１１】
このようにすると、筒状に編成された前身頃および後身頃から構成されるシャツにおいても、上述した効果を発現することができる。
【発明の効果】
【００１２】
本発明によれば、着心地の良さと機能の発揮とを両立した、後衿の高いシャツを提供することができる。
【図面の簡単な説明】
【００１３】
【図１】本発明の実施形態に係るシャツの正面図である。
【図２】本発明の実施形態に係るシャツの背面図である。
【図３】比較例に係るシャツの正面図である。
【図４】比較例に係るシャツの背面図である。
【図５】着用状態を示す全体図である。
【図６】着用状態を示す斜視図である。
【図７】着用状態を示す背面図である。
【図８】着用状態を示す側面図である。
【図９】着用状態を示す正面図である。
【発明を実施するための形態】
【００１４】
以下、本発明の実施形態に係るシャツ１０について図面を参照して説明する。本発明は、男性用、女性用を問わず、下着用シャツ、下着に限定されないシャツ、ワイシャツまたはブラウスの代わりにアウターの衣服（ジャケット、カーディガン等）の下に着用できるシャツ等に適用される。以下においては、アウターの衣服の下に着用できるシャツについて説明する。
【００１５】
［全体構成］
図１に本実施形態に係るシャツ１０の正面図を、図２にシャツ１０の背面図をそれぞれ示す。このシャツ１０は、前身頃１１と、後身頃１２と、右袖部１３および左袖部１４とを有している。前身頃１１と後身頃１２とは、図に表れない側部の縫着線で縫い合わされるとともに、肩部の縫着線１１Ｄで縫い合わされて、シャツ１０の全体を形成している。
【００１６】
前身頃１１の上側であって着用者の首の側部に当接する側衿部１１Ａ、前身頃１１の上端の一部であって着用者の首の後部に当接する後衿部１１Ｂおよび前身頃１１の前側にＶ字形状に剔られた衿ぐり部１１Ｅにより、このシャツ１０の衿部が構成される。この後衿部１１Ｂは、衿なしシャツよりも高い高さの衿である。
右の後衿部１１Ｂと左の後衿部１１Ｂとは縫着線１１Ｃで縫い合わされている。また、前身頃１１および後身頃１２と、右袖部１３または左袖部１４とは、図示しない縫着線で縫い合わされている。なお、前身頃１１と後身頃１２とが別体ではなく、筒状の一体物であっても構わない。衿ぐり部１１Ｅは、一例ではあるが、首の長さが強調されて小顔に見えるようなＶ字形状を備える。
【００１７】
これらの前身頃１１、後身頃１２、右袖部１３および左袖部１４は、周縁を切りっぱなし仕様とされた生地で構成されている。この生地は、周縁を切りっぱなし仕様（状態）のままで使用するために、熱融着性繊維（例えば、ポリウレタン繊維等の比較的に低融点の熱融着性繊維が好ましい。）と該繊維よりも高融点の他の繊維（例えば、綿、ポリエステル、ナイロン、ポリエチレン、キュプラ等の前記熱融着性繊維よりも高融点の繊維が好ましい。）とを含み、予め、熱融着性繊維の融点以上で他の繊維の融点以下の温度で熱セットされて解れ止め処理されるのが好ましい。このように、解れないように周囲が周縁処理（パイピング処理）されていないために肌に直接触れても、着心地が良いことに加えて、衿部および袖口部に折り返しの厚みがアウターの衣服に出てしまうこともない。
【００１８】
さらに、シャツ１０の生地が切りっぱなし仕様のままで使用される場合について、以下に具体的に説明する。この生地には、綿やレーヨンなどの保水性の高い糸とポリウレタン（熱融着性繊維）により編成された緯編地などが使用可能である。
より好ましくは、この生地は、ベアフライス（熱融着性乃至熱溶着性ポリウレタンのベア繊維糸と他の糸とのプレーティング編みで、編成後、熱セットによるフリーカット適合素材）とされ、綿とレーヨンの混紡糸とポリウレタン（ベア糸）２０〜５０デシテックスにより編成された緯編地を使用することが好ましい。
【００１９】
また、この生地には、消臭機能が付与されていることが好ましい。消臭加工は、主成分として、酸化亜鉛等を含んだ無機物を耐久付着させ、これによるアンモニアの中和反応、酢酸・イソ吉草酸の吸着反応によって消臭効果を発揮させるのが好ましい。
このような生地を用いることにより、シャツ１０の周縁を切りっぱなし状態のままで使用することができるので、周縁処理がなくても周縁が解れることがなく、また、嵩張らず、ソフトで柔軟性に富むものとすることができ、着心地が良いものとなる。
【００２０】
［特徴的な構成］
以下、本実施形態に係るシャツ１０の特徴的な構成について説明する。図３および図４に示す比較品のシャツ１００を参照して、この特徴的な構成を説明する。図３は比較品の一例であるシャツ１００の正面図であって、図４はシャツ１００の背面図である。
シャツ１００は、前身頃１１に対応する前身頃１１１、後身頃１２に対応する後身頃１１２、右袖部１３に対応する右袖部１１３および左袖部１４に対応する左袖部１１４を備える。前身頃１１と後身頃１２とは、図に表れない側部の縫着線で縫い合わされるとともに、肩部の縫着線１１１Ｄで縫い合わされて、シャツ１００の全体を形成している。
【００２１】
前身頃１１１の上端の一部である側衿部１１１Ａおよび後衿部１１１Ｂならびに前身頃１１１の前側にＶ字形状に剔られた衿ぐり部１１１Ｅにより、このシャツ１００の衿部が構成される。左右の後衿部１１１Ｂは縫着線１１１Ｃで縫い合わされている。また、前身頃１１１および後身頃１１２と、右袖部１１３または左袖部１１４とは、図示しない縫着線で縫い合わされている。このようにシャツ１０とシャツ１００とでは、基本的構成は類似する。
【００２２】
シャツ１０とシャツ１００とで異なり、シャツ１０の特徴的な構成となっているのは、縫着線１１Ｄの位置である。シャツ１００の縫着線１１１Ｄは、着用者の肩のラインに沿って形成されているのに対して、シャツ１０の縫着線１１Ｄは、肩のラインよりも背中側に設けられている。詳しくは、後述するが、このシャツ１０を着用すると、縫着線１１Ｄは、首の後側から肩にかけて、背中側から腹部側へ向かう形状を構成する。さらに、このような縫着線１１Ｄと１１０Ｄとの差があるために、シャツ１０の縫着線１１Ｃは、シャツ１１０の縫着線１１１Ｃよりも長くなっている。
【００２３】
［着用状態］
このシャツ１０の着用状態を説明する。図５にシャツ１０の着用状態を示す全体図を示
す。図５に示すように、このシャツ１０を着用すると、後衿部１１Ｂが立って着用者の首の後部に密着している。また、このシャツ１０においては、（一例ではあるが）衿ぐり部１１ＥをＶ字形状としたため、首の長さが強調されることにより小顔に見える傾向を発現する。また、このシャツ１０の生地に切りっぱなし仕様の生地を使用したために、嵩張らず、着心地が良く、ソフトで柔軟性に富むものとすることができる。特に、このような切りっぱなし仕様のソフトな生地を使用しているので、衿ぐり部１１Ｅがソフトな感じになる。なお、図５および後述する図９においては、側衿部１１Ａから衿ぐり部１１Ｅにかけてソフトな感じを表現しているが、本発明がこれを必須の構成とするものではなく、図１に示すように通常のＶ首シャツのようであっても構わない。
【００２４】
また、特許文献１に開示されたような特別な縫製およびテープを用いることなく後衿部１１Ｂが立って首の後部に密着しているので、縫製が容易で、従来はアウターの衣服の衿に付着していた首の後部の皮脂汚れを後衿部１１Ｂで吸着することができる。なお、このシャツ１０では、このシャツ１０の上にアウターの衣服を着用した場合に、アウターの衣服からこの後衿部１１Ｂが見えているが、後衿部１１Ｂの高さは衿なしシャツよりも高ければ良く、アウターの衣服からこの後衿部１１Ｂが見える必然性はない。
【００２５】
このように、切りっぱなし仕様の生地を使用して、周縁処理のないことにより嵩張らず、着心地良く、ソフトで柔軟性に富んだシャツを実現できるとともに、そのようなソフトな生地であっても後衿部１１Ｂを立たせることを実現している。以下において、着用時において後衿部１１Ｂが立って首の後側に密着することについて説明する。
図６にシャツ１０の着用状態を示す斜視図を、図７にシャツ１０の着用状態を示す背面図を、図８にシャツ１０の着用状態を示す側面図を、図９にシャツ１０の着用状態を示す正面図をそれぞれ示す。
【００２６】
上述した構成のように、比較品であるシャツ１００に対して、このシャツ１０の縫着線１１Ｄの位置が（肩のラインよりも）背中側に設けられている。図６および図８に特に顕著に表れているが、着用者の首の後側から肩にかけて、背中側から腹部側へ向かう形状を構成する。具体的には、縫着線１１Ｄは、背中側から腹部側へ回り込んでいる形状を構成する。図６〜図８に、比較品の縫着線１１１Ｄを重ねて示すが、縫着線１１１Ｄは、このような形状を構成しない。なお、縫着線１１Ｃと縫着線１１Ｄとは、着用者の首の後で交差して、Ｔ字状になっている（図７）。
【００２７】
縫着線１１Ｄが備える、背中側から腹部側へ回り込んでいる形状により、以下のような作用が発現されるものと推察される。縫着線１１Ｄは、着用者の腹部側へ回り込む形状により、後身頃１２を腹部側へ引き寄せる作用を発現する。このため、後身頃１２と一体に縫着された前身頃１１の後衿部１１Ｂを腹部側へ引き寄せる。その結果、後衿部１１Ｂが首の後部へ密着する。これは、肩のライン（首から腕に向けて下降する傾斜ライン）に沿っている比較品の縫着線１１１Ｄでは、発現しないこととは対照的である。すなわち、縫着線１１１Ｄでは、首から腕に傾斜した方向へ生地が流れる力が作用するとしても、後衿部１１Ｂを腹部側へ引き寄せる力は作用しないと推察される。
【００２８】
［作用効果］
本実施形態に係るシャツ１０は、次のような作用効果が得られる。
このシャツ１０においては、特別な縫製およびテープを用いることなく後衿部１１Ｂが立って首の後部に密着しているので、縫製が容易で、アウターの衣服の衿に付着していた首の後部の皮脂汚れを後衿部１１Ｂで吸着することができる。また、このシャツ１０の生地に消臭機能を付与することにより、汗の臭いを消臭させて快適な環境を維持させることができる。
【００２９】
このシャツ１０においては、周縁を切りっぱなし仕様とされた生地を縫着して構成していることによって、嵩張らず、着心地良く、ソフトで柔軟性に富むものとすることができる。
本発明の実施形態は、以上からなるが、本発明は、上記実施形態にのみ制約されるものではなく、特許請求の範囲に記載した範囲内で自由に変更して実施することができる。
【００３０】
たとえば、男性用の下着に適用する場合には、後衿部１１Ｂを上述のようにアウターの
衣服の後衿の高さよりも高くするのではなくワイシャツの後衿の高さよりも低くして（これでも衿なしシャツよりも高い）、ワイシャツの着用時にシャツ１０の後衿が見えないようにすることが好ましい。また、衿ぐり部１１Ｅの形状は、Ｖ字形状に剔られた形状に限定されず、丸首、Ｕ首、Ｖ首等であっても構わない。さらに、袖部のないノースリーブタイプであっても構わない。
【産業上の利用可能性】
【００３１】
本発明は、下着用シャツ、下着に限定されないシャツ、ワイシャツまたはブラウスの代わりにアウターの衣服の下に着用できるシャツに利用することができ、また、男性用にも女性用にも限定されるものではない。
【符号の説明】
【００３２】
１０    シャツ（本発明品）
１００  シャツ（比較品）
１１、１１１    前身頃
１２、１１２    後身頃
１３、１１３    右袖部
１４、１１４    左袖部
【図１】
2013053393.tif 000003
【図２】
2013053393.tif 000004
【図３】
2013053393.tif 000005
【図４】
2013053393.tif 000006
【図５】
2013053393.tif 000007
【図６】
2013053393.tif 000008
【図７】
2013053393.tif 000009
【図８】
2013053393.tif 000010
【図９】
2013053393.tif 000011